Podtech/llm-jp-corpus-v4-ja_patent huggingface dataset:
【手続補正書】
【提出日】平成26年3月14日(2014.3.14)
【手続補正１】
【補正対象書類名】特許請求の範囲
【補正対象項目名】全文
【補正方法】変更
【補正の内容】
【特許請求の範囲】
【請求項１】
第１の端部、第２の端部、及び前記第１の端部と前記第２の端部の間に延びて複数のターンを完成する巻線部分を有するコイル巻線と、
積み重ねて組み合わされた、複数の予め形成された誘電体層であって、複数の予め形成された誘電体のそれぞれは、同一の特性を有する同一材料から製造され、複数の予め形成された誘電体のそれぞれは、相互に表面接触で加圧され、且つ結合され、組み合わされて予め形成された誘電体層は、前記コイル巻線の前記巻線部分を取り囲む誘電体層と、
を有する積層された構造物と、
表面実装の回路の前記コイル巻線への接続を達成するための、前記コイル巻線の前記第１の端部と前記第２の端部に結合された端子と、を有し、
前記コイル巻線は、前記複数の予め形成された誘電体層の全てから分離及び独立して形成される磁性部品。
【請求項２】
複数の予め形成されたそれぞれの誘電シートは、柔軟コンポジットフィルムを有する、請求項１に記載の磁性部品。
【請求項３】
前記コンポジットフィルムは、熱可塑性樹脂を有する、請求項２に記載の磁性部品。
【請求項４】
前記コンポジットフィルムは、磁性粉を有する、請求項３に記載の磁性部品。
【請求項５】
前記磁性粉は、ソフト磁性粒子を有する、請求項４に記載の磁性部品。
【請求項６】
前記コンポジットフィルムは、ポリイミド材料を有する、請求項２に記載の磁性部品。
【請求項７】
前記複数の予め形成された誘電体層のそれぞれは、柔軟磁性粉シートを有し、複数の柔軟磁性粉シートの少なくとも一つは、前記コイル巻線の前記巻線部分に表面接触している、請求項１に記載の磁性部品。
【請求項８】
前記柔軟磁性粉シートのそれぞれは、磁性ポリマーコンポジットフィルムを有する、請求項７に記載の磁性部品。
【請求項９】
前記磁性ポリマーコンポジットフィルムは、熱可塑性樹脂と混合されたソフト磁性粉を有する、請求項８に記載の磁性部品。
【請求項１０】
前記柔軟磁性粉シートは、固体材料として積み重ね可能である、請求項９に記載の磁性部品。
【請求項１１】
前記柔軟磁性粉シートは、略１０．０以上の相対透磁率を有する、請求項１０に記載の磁性部品。
【請求項１２】
前記の少なくとも一つの前記柔軟磁性粉シートは、前記巻線部分の外表面の周囲で加圧され、
前記の少なくとも一つの前記柔軟磁性粉シートは、前記の少なくとも一つの前記柔軟磁性粉シートと前記巻線部分の間に物理的な隙間を作り出すことなく、前記巻線部分の周囲で屈曲される、請求項７に記載の磁性部品。
【請求項１３】
前記コイル巻線は、巻き付けられて、独立の自立した構造物にされる柔軟導線コンダクタを有する、請求項１に記載の磁性部品。
【請求項１４】
前記コイル巻線は、開口中心領域を規定し、
磁性体が、前記開口中心領域をふさぐ、請求項１に記載の磁性部品。
【請求項１５】
前記磁性体は、前記予め形成された誘電体層から分離して提供される、請求項１４に記載の磁性部品。
【請求項１６】
前記磁性体は、前記予め形成された誘電体層と一体的に提供される、請求項１４に記載の磁性部品。
【請求項１７】
前記複数の予め形成された誘電体は、加圧されるが加熱されずに積層された層である、請求項１に記載の磁性部品。
【請求項１８】
前記表面実装の端子は、前記予め形成された誘電体層のうちの少なくとも一つに形成される、請求項１に記載の磁性部品。
【請求項１９】
前記部品は、小型のパワーインダクタである、請求項１に記載の磁性部品。
【請求項２０】
磁性部品の製造方法であって、
前記部品は、コイル巻線と、コア構造物とを有し、
前記コイル巻線は、第１の端部、第２の端部、及び前記第１の端部と前記第２の端部の間に延びて複数のターンを完成する巻線部分を有し、
前記コア構造物は、複数の誘電体層を含み、
複数の予め製造され、それぞれが同一の材料特性を有する誘電体層を取得し、
少なくとも一つの予め製造されたコイル巻線を取得し、
複数の予め製造された誘電体層が他の複数の予め製造された誘電体層に表面接触で加圧され、且つ結合され、前記コイル巻線の部分は前記複数の予め製造された誘電体層に取り囲まれる加圧積層処理により、前記少なくとも一つの予め製造されたコイル巻線を前記複数の予め製造された誘電体層に結合し、
表面実装の回路の、前記コイル巻線の第１の端部及び第２の端部への接続を達成するための端子を提供する
ことを含む方法。
【請求項２１】
前記加圧積層処理は、加熱積層処理を含まない、請求項２０に記載の方法。
【請求項２２】
前記の少なくとも一つの予め製造されたコイル巻線は、開口中心を含み、
前記方法は、
予め製造された磁性コア材料を取得し、
前記開口中心を前記予め製造された磁性コア材料でふさぐ
ことをさらに含む、請求項２０に記載の方法。
【請求項２３】
請求項２０に記載の方法により取得される製造物。
【請求項２４】
前記複数の予め製造された誘電体層は、熱可塑性樹脂を含む、請求項２３に記載の製造物。
【請求項２５】
前記複数の予め製造された誘電体層は、磁性粉をさらに含む、請求項２４に記載の製造物。
【請求項２６】
前記複数の予め製造された誘電体層は、少なくとも略１０の相対透磁率を有する、請求項２５に記載の製造物。
【請求項２７】
前記製造物は、小型のパワーインダクタである、請求項２６に記載の製造物。
【請求項２８】
第１の端部、第２の端部、及び前記第１の端部と前記第２の端部の間に延びて複数のターンを完成する巻線部分を有するコイル巻線と、
前記コイル巻線の前記巻線部分を取り囲む、前記コイル巻線の部分に加圧され、且つ結合された少なくとも一つの予め形成された誘電体層と、
を有する積層された構造物と、
表面実装の回路の前記コイル巻線への接続を達成するための、前記コイル巻線の前記第１の端部と前記第２の端部に結合された端子と、を有し、
前記コイル巻線は、前記少なくとも一つの予め形成された誘電体層から分離して製造される磁性部品。
【請求項２９】
前記少なくとも一つの予め形成された誘電体層は、相互に加圧され、且つ結合された複数の誘電体層を有する、請求項２８に記載の磁性部品。
【請求項３０】
前記少なくとも一つの予め形成された誘電体層は、単一層を有する、請求項２８に記載の磁性部品。
【請求項３１】
前記複数の予め形成された誘電体は、同一の特性を有する同一の材料から製造される、請求項２９に記載の磁性部品。
【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
集積回路デバイスをつくる方法であって、
各々が複数のリードフレームと複数のインターリーフ部材とを含む、リードフレームシートのスタックを提供することであって、前記複数のインターリーフ部材が、前記リードフレームシートの隣接するリードフレームシートの間に介在するインターリーフ部材を含み、前記複数のインターリーフ部材が前記リードフレームシートを識別するしるしを含む、前記提供することと、
アッセンブリマシン上にリードフレームシートの前記スタックをロードすることと、
第１のリードフレームシートから第１のインターリーフ部材を取り除くことと、
前記第１のリードフレームシートを前記アッセンブリマシンの取り付け面上に搬送することと、
半導体ダイを前記第１のリードフレームシート上の前記複数のリードフレームのそれぞれのリードフレームに取り付けることと、
を含む、方法。
【請求項２】
請求項１に記載の方法であって、
前記しるしが、前記リードフレームシートに関連付けられた部品番号を識別する少なくとも１つのデータ識別子を含み、
前記方法が、
前記第１のリードフレームシートのための部品番号を決定するため前記第１のインターリーフ部材から前記データ識別子を読み出すことと、
前記半導体ダイを組み立てるためのビルドリストと比較することにより前記第１のリードフレームシートのための前記部品番号を確認することと、
前記部品番号が正しいとして確認された場合にのみ、前記搬送すること及び前記取り付けることを可能にすることと、
を更に含む、方法。
【請求項３】
請求項２に記載の方法であって、
前記データ識別子が更に、前記リードフレームシートのための仕上げテクスチャを識別し、前記データ識別子を読み出すことが前記部品番号と前記仕上げテクスチャとを決定することを含み、前記確認することが前記部品番号と前記仕上げテクスチャとの両方を確認することを含む、方法。
【請求項４】
請求項３に記載の方法であって、
前記を読み出すことが、前記アッセンブリマシンにより読み出すことを含む、方法。
【請求項５】
請求項４に記載の方法であって、
前記アッセンブリマシンがパターン認識システムを含み、前記読み出しの前に、前記アッセンブリマシンが前記第１のリードフレームシートと前記第１のインターリーフ部材とをピックアップし、前記第１のインターリーフ部材がその後前記アッセンブリマシンにより前記第１のリードフレームシートから取り除かれる、方法。
【請求項６】
請求項５に記載の方法であって、
前記しるしが、マシン読み出し可能な英数字シーケンス又はマシン読み出し可能なバーコードを含む、方法。
【請求項７】
請求項１に記載の方法であって、
前記しるしが、人間が読み出し可能なフォーマットとマシン読み出し可能な英数字シーケンスとの両方又はマシン読み出し可能なバーコードを含む、方法。
【請求項８】
請求項７に記載の方法であって、
前記人間が読み出し可能なフォーマットが数字シーケンスを含む、方法。
【請求項９】
請求項１に記載の方法であって、
前記リードフレームシートがダウンセットされた部分を含み、前記複数のインターリーフ部材が、前記リードフレームシートの前記ダウンセットされた部分の間にクリアランスのためダイカット開口を有する、方法。
【請求項１０】
請求項１に記載の方法であって、
前記リードフレームシートがダウンセットされた部分を除外し、前記複数のインターリーフ部材が自動化ステップを含む、方法。
【請求項１１】
請求項１に記載の方法であって、
前記取り除くこと、前記搬送すること、及び前記取り付けることが、完全に自動化されたステップで前記アッセンブリマシンにより実行される、方法。
【請求項１２】
請求項１に記載の方法であって、
前記リードフレームシートが、如何なるスタンプされた又はエッチされた識別子を除外する、方法。
【請求項１３】
集積回路（ＩＣ）デバイスをつくる方法であって、
各々が複数のリードフレームと複数のインターリーフ部材とを含む、リードフレームシートのスタックを提供することであって、前記複数のインターリーフ部材が、前記リードフレームシートの隣接するリードフレームシートの間に介在するインターリーフ部材を含み、前記複数のインターリーフ部材が、リードフレームシートに関連付けられた部品番号を識別する少なくとも一つのデータ識別子を含む、しるしを含む、前記提供することと、
アッセンブリマシン上にリードフレームシートの前記スタックをロードすることと、
第１のリードフレームシートのための前記部品番号を決定するため第１のインターリーフ部材から前記データ識別子を読み出すことと、
前記第１のリードフレームシートから第１のインターリーフ部材を取り除くことと、
半導体ダイを組み立てるためのビルドリストと比較することにより前記第１のリードフレームシートのための前記部品番号を確認することと、
前記部品番号が正しいとして確認された場合にのみ前記第１のリードフレームシートを前記アッセンブリマシンの取り付け面上に搬送することと、
半導体ダイを前記第１のリードフレームシート上の前記複数のリードフレームのそれぞれのリードフレームに取り付けることと、
を含む、方法。
【請求項１４】
請求項１３に記載の方法であって、
前記データ識別子が更に、前記リードフレームシートのための仕上げテクスチャを識別し、前記データ識別子の前記読み出しが、前記部品番号と前記仕上げテクスチャとを決定することを含み、前記確認することが、前記部品番号と前記仕上げテクスチャとを確認することを含む、方法。
【請求項１５】
請求項１３に記載の方法であって、
前記アッセンブリマシンがパターン認識システムを含み、前記読み出しが前記アッセンブリマシンによって実行され、前記読み出しの前に、前記アッセンブリマシンが前記第１のリードフレームシートと前記第１のインターリーフ部材とをピックアップし、前記第１のインターリーフ部材がその後前記アッセンブリマシンにより前記第１のリードフレームシートから取り除かれる、方法。
【請求項１６】
請求項１３に記載の方法であって、
前記しるしが、人間が読み出し可能なフォーマットとマシン読み出し可能な英数字シーケンスとの両方又はマシン読出し可能なバーコードを含む、方法。
【手続補正書】
【提出日】平成26年2月17日(2014.2.17)
【手続補正１】
【補正対象書類名】特許請求の範囲
【補正対象項目名】全文
【補正方法】変更
【補正の内容】
【特許請求の範囲】
【請求項１】
画像を撮影するように構成された装置であって：
画像センサ；
前記デジタル・カメラの一の視野内に、一つ以上の顔が存在することを検出するために、前記画像センサの出力を処理するように構成されたプロセッサ；
前記装置の視野内における顔の存在を検出することに応答して、フィードバックを提供するフィードバック機構であって、前記フィードバック機構は、前記装置と前記検出された顔との間の距離が指定された距離範囲内にあることに応答する場合だけ前記フィードバックを提供し、撮影者が腕を伸ばして前記装置を把持することが可能な状態における前記距離に関する記憶された距離範囲を前記指定された距離範囲が具備する、フィードバック機構；および、
前記撮影者自身を含む前記撮影シーンのデジタル画像の撮影動作を開始する手段；
を備えるデジタル・カメラ。
【請求項２】
前記フィードバックは、前記視野内において検出された顔の個数の表示を具備する、請求項１記載の装置。
【請求項３】
前記フィードバック機構は、音声によるフィードバック機構を具備する、請求項１記載の装置。
【請求項４】
前記音声によるフィードバック機構は、言葉による指示を使用してフィードバックを与えるように構成されている、請求項３記載の装置。
【請求項５】
前記フィードバック機構は、視覚によるフィードバック機構を具備する、請求項１記載の装置。
【請求項６】
前記視覚によるフィードバック機構は、一つ以上のシグナル光源を使用して前記フィードバックを与えるように構成される、請求項５記載の装置。
【請求項７】
前記視覚によるフィードバック機構は、前記装置の前方のディスプレイ画面上にテキストやアイコンを表示することによって前記フィードバックを与えるように構成される、請求項５記載の装置。
【請求項８】
前記フィードバック機構は、振動発生を使用して前記フィードバックを与えるように構成された、触覚のフィードバック機構である、請求項１記載のデジタル・カメラ。
【請求項９】
前記フィードバックは、改善された前記視野を提供するために前記装置の向きが修正されるべき方向を提示する方向表示を含んでいる、請求項１記載の装置。
【請求項１０】
前記改善された視野は、一つ以上の構図ルールを充足する、請求項９記載の装置。
【請求項１１】
前記デジタル画像の撮影動作を開始するように構成された撮影開始機構をさらに具備し、前記撮影開始機構は、画像撮影ボタン、遠隔制御手段、タイマー機構または音声駆動機構のうちの少なくとも一つ以上を具備している、請求項１記載の装置。
【請求項１２】
少なくとも前記フィードバックが与えられる第１の動作モードと前記フィードバックが全く与えられない第２の動作モードのいずれか一方を選択することを可能にするように構成されたユーザ・インターフェース制御部を更に具備する、請求項１記載の装置。
【請求項１３】
前記フィードバック機構によって与えられるべきフィードバックのタイプを択一的に選択することを可能にするように構成された制御入力部を更に備える、請求項１記載の装置。
【請求項１４】
前記装置から前記顔までの距離は、前記検出された顔の大きさに応じて推定された距離を具備する、請求項１記載の装置。
【請求項１５】
前記フィードバック機構は、前記視野との間の相対関係において、前記検出された顔が指定された検出サイズの範囲内に位置する場合のみ、フィードバックを与えるようにさらに構成されている、請求項１記載の装置。
【請求項１６】
前記プロセッサは、前記検出された一つ以上の顔の識別名を判定するようにさらに構成され、前記フィードバックは、前記識別名による顔の識別に応じて、カスタマイズされる、請求項１記載の装置。
【請求項１７】
前記プロセッサは、顔画像認識を使用して、前記顔が前記装置の視野内に含まれているか否かを判定するようにさらに構成されている、請求項１記載の装置。
【請求項１８】
前記プロセッサは、一つ以上の所定の基準が満足された時に、前記撮影者が更なる操作を行うことなく、デジタル画像の撮影動作を自動的に起動するようにさらに構成されている、請求項１記載の装置。
【請求項１９】
前記一つ以上の所定の基準は、画像の構図ルールが充足されていること、被写体の人物の眼が開いていること又は被写体の人物の顔が笑っていることが検出されていること、またはカメラの動きが無いことが検出されていることの中の少なくとも一つ以上を含む、請求項１８記載の装置。
【請求項２０】
前記フィードバック機構は、前記視野内に少なくとも一つの顔の存在を検出することに応答して、前記視野内に前記撮影者自身が含まれているとき、前記撮影者自身に対してフィードバックを提供するように構成されている、請求項１記載の装置。
【請求項２１】
前記記憶された距離範囲は、前記装置の自分撮りモードにおける較正プロセスによって提供される、請求項１記載の装置。
【請求項２２】
前記画像センサ上に撮影シーンの画像を形成するための光学系をさらに具備する、請求項１記載の装置。
【請求項２３】
視野内に一つ以上の顔が存在することを検出するために、画像を撮影するように構成された装置の画像センサーの出力をプロセッサが処理するステップ；
前記装置の視野内における顔の存在を検出することに応答して、フィードバック機構が、フィードバックを提供するステップであって、前記フィードバック機構は、前記装置と前記検出された顔との間の距離が指定された距離範囲内にあることに応答する場合だけフィードバックを提供し、撮影者が腕を伸ばして前記装置を把持することが可能な状態における前記距離に関する記憶された距離範囲を前記指定された距離範囲が具備する、ステップ；
を具備する方法。
【請求項２４】
前記検出された顔のサイズに基づいて前記装置と前記検出荒れた顔との間の距離を推定するステップをさらに具備する、請求項２３記載の方法。
【請求項２５】
媒体面上に命令コードが記憶されたコンピュータ読み出し可能記録媒体であって、前記命令コードは、実行された際に：
視野内に一つ以上の顔が存在することを検出するために、画像を撮影するように構成された装置の画像センサーの出力をプロセッサが処理するステップ；および、
前記装置の視野内における顔の存在を検出することに応答して、フィードバック機構が、フィードバックを提供するステップであって、前記フィードバック機構は、前記装置と前記検出された顔との間の距離が指定された距離範囲内にあることに応答する場合だけフィードバックを提供し、撮影者が腕を伸ばして前記装置を把持することが可能な状態における前記距離に関する記憶された距離範囲を前記指定された距離範囲が具備する、ステップ；
をコンピュータ装置に実行させることを特徴とする、コンピュータ読み出し可能記録媒体。
【請求項２６】
前記命令コードは、前記検出された顔のサイズに基づいて前記装置と前記検出荒れた顔との間の距離を推定するステップをさらに実行する、請求項２５記載の方法。
【手続補正書】
【提出日】平成26年4月24日(2014.4.24)
【手続補正１】
【補正対象書類名】特許請求の範囲
【補正対象項目名】請求項１
【補正方法】変更
【補正の内容】
【請求項１】
発光上面を有するＬＥＤダイと、
前記ＬＥＤダイに接続された電極及びボディを有し、前記ＬＥＤダイを含むパッケージと、
前記ボディに搭載された、丸みを帯びた方形レンズと、を有し、
前記丸みを帯びた方形レンズは、前記上面に平行な平面において、丸みを帯びた角を有し、
前記丸みを帯びた方形レンズは、前記丸みを帯びた方形レンズの対角線方向の断面に沿って実質的に半円状の面を有し、前記丸みを帯びた方形レンズの前記対角線方向の断面は前記対角線方向の断面の幅よりも小さい第１の幅を有し、前記実質的に半円状の面は前記ＬＥＤダイの前記上面の実質的に中心点上に最大高さＨを有し、
前記丸みを帯びた方形レンズは、前記丸みを帯びた方形レンズを二分する前記丸みを帯びた方形レンズの幅寸法に沿って半円状でない弾丸形状の面を有し、前記弾丸形状の面は前記第１の幅よりも小さい第２の幅を有し、前記弾丸形状の面は前記ＬＥＤダイの前記上面上に前記実質的に半円状の面が有する前記最大高さＨと一致する最大高さＨを有し、
前記丸みを帯びた方形レンズの表面は、前記実質的に半円状の面と前記弾丸形状の面との間で、前記ＬＥＤダイの前記上面上において尖った角を有することなく滑らかに移行しており、
前記丸みを帯びた方形レンズは、前記ＬＥＤダイが活性化されると、実質的にランバートな光放射パターンをつくる、ＬＥＤ装置。
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
減圧によって患者から流体を除去するシステムにおいて、
前記患者から流体を受け取る液受け部と；
前記患者から前記流体を受け取るための前記液受け部に流体的に結合されたキャニスターと；
減圧供給導管と；
前記減圧供給導管によって前記キャニスターに流体的に結合された減圧源と；
前記減圧供給導管に流体的に結合された水分処理装置であって、
入口および出口を有し、かつ、前記入口に入る空気から水を凝縮させる拡張体積部を形成するハウジング、および
前記ハウジングの少なくとも一部分を形成し、前記拡張体積部中の蒸気が前記拡張体積部から出ることができるようにする第１の液不透過性・蒸気透過性膜
を含む水分処理装置と
を含むことを特徴とする、システム。
【請求項２】
請求項１に記載のシステムにおいて、前記減圧供給導管に流体的に結合された第１の疎水性フィルタをさらに含むことを特徴とする、システム。
【請求項３】
請求項２に記載のシステムにおいて、前記キャニスターが、前記キャニスターに関連付けられた第２の疎水性フィルタを有することを特徴とする、システム。
【請求項４】
請求項１、２または３に記載のシステムにおいて、前記水分処理装置が前記拡張体積部に複数の支持部材をさらに含み、および前記複数の支持部材が、曲がりくねった流体路を形成することを特徴とする、システム。
【請求項５】
請求項１、２または３に記載のシステムにおいて、前記水分処理装置が前記拡張体積部に複数の支持部材をさらに含み、および前記複数の支持部材が、複数のアパーチャを有する、支持部材の格子を含むことを特徴とする、システム。
【請求項６】
請求項１または請求項１乃至５の何れか１項に記載のシステムにおいて、前記ハウジングの少なくとも一部分を形成する第２の液不透過性・蒸気透過性膜をさらに含むことを特徴とする、システム。
【請求項７】
請求項２または請求項１乃至６の何れか１項に記載のシステムにおいて、前記第１の疎水性フィルタが前記水分処理装置に結合されていることを特徴とする、システム。
【請求項８】
請求項１または請求項１乃至７の何れか１項に記載のシステムにおいて、前記水分処理装置の前記入口が、制限された直径（Ｄ２）に移り、その後、前記拡張体積部に移る、入口の直径（Ｄ１）を有し、前記拡張体積部は、拡張された直径（Ｄ３）を有し、およびＤ３＞Ｄ１＞Ｄ２であることを特徴とする、システム。
【請求項９】
請求項１に記載のシステムにおいて、前記凝縮水を引き寄せかつ前記凝縮水を前記第１の液不透過性・蒸気透過性膜に近接させて保持するウィッキング層をさらに含むことを特徴とする、システム。
【請求項１０】
減圧によって患者から流体を除去するシステムの製造方法において、
液受け部を形成するステップと；
前記患者から前記流体を受け取るための前記液受け部にキャニスターを流体的に結合するステップと；
減圧供給導管を設けるステップと；
前記減圧供給導管によって前記キャニスターに減圧源を流体的に結合するステップと；
前記減圧供給導管に水分処理装置を流体的に結合するステップであって、前記水分処理装置が：
入口および出口を有し、および前記入口に入る空気から水を凝縮させるために拡張体積部を形成するハウジング、および
前記ハウジングの少なくとも一部分を形成し、前記拡張体積部中の蒸気が前記拡張体積部から出ることができるようにする第１の液不透過性・蒸気透過性膜
を含むステップと；
前記減圧供給導管に第１の疎水性フィルタを流体的に結合するステップと
を含むことを特徴とする、方法。
【請求項１１】
請求項１０に記載の方法において、前記キャニスターが、前記キャニスターに関連付けられた第２の疎水性フィルタを有することを特徴とする、方法。
【請求項１２】
請求項１０または１１に記載の方法において、前記水分処理装置が前記拡張体積部に複数の支持部材をさらに含み、および前記複数の支持部材が、曲がりくねった流体路を形成することを特徴とする、方法。
【請求項１３】
請求項１０または１１に記載の方法において、前記水分処理装置が前記拡張体積部に複数の支持部材をさらに含み、および前記複数の支持部材が、複数のアパーチャを有する、支持部材の格子を含むことを特徴とする、方法。
【請求項１４】
請求項１０または請求項１１乃至１３の何れか１項に記載の方法において、前記ハウジングの少なくとも一部分を形成する第２の液不透過性・蒸気透過性膜をさらに含むことを特徴とする、方法。
【請求項１５】
請求項１０または請求項１１乃至１４の何れか１項に記載の方法において、前記第１の疎水性フィルタが前記水分処理装置に結合されていることを特徴とする、方法。
【請求項１６】
請求項１０または請求項１１乃至１５の何れか１項に記載の方法において、前記水分処理装置の前記入口が入口の直径（Ｄ１）、制限された直径（Ｄ２）を有し、および前記拡張体積部が、拡張された直径（Ｄ３）を有し、およびＤ３＞Ｄ１＞Ｄ２であることを特徴とする、方法。
【請求項１７】
請求項１０または請求項１１乃至１６の何れか１項に記載の方法において、前記水を引き寄せて前記水を前記第１の液不透過性・蒸気透過性膜に近接させて保持するウィッキング層をさらに含むことを特徴とする、方法。
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
減圧治療を受けている複数の患者に使用するための流体収集システムにおいて、
液溜めを備えて形成されたキャニスター本体と；
前記患者から流体を前記液溜めに供給するために、前記液溜めに流体的に結合された導管と；
前記キャニスター本体に取り付けられ、かつ前記液溜め内に減圧を発生させるように動作可能なポンプと；
前記ポンプを起動し、かつ制御するための、前記ポンプに結合された取り外し可能なパワー・制御ユニットであって、ユーザによって取り外されるように動作可能な、取り外し可能なパワー・制御ユニットと；
リサイクルセンターへの配送中に前記パワー・制御ユニットを収容して固定するようなサイズで構成された備え付けの配送用容器と
を含むことを特徴とする、システム。
【請求項２】
請求項１に記載のシステムにおいて、前記備え付けの配送用容器が、前記第１のキャニスターが前記備え付けの配送用容器に挿入されないようなサイズで構成されていることを特徴とする、システム。
【請求項３】
１名以上の患者に複数の減圧治療を行う方法において、
減圧治療システムを提供するステップであって、前記減圧治療システムが：
液溜めを備えて形成された第１のキャニスター本体、
前記患者から流体を前記液溜めに供給するために、前記液溜めに流体的に結合された導管、
前記第１のキャニスター本体に取り付けられ、かつ前記液溜め内に減圧を発生させるように動作可能なポンプ、
前記ポンプを制御するために前記ポンプに結合された制御ユニット、
前記ポンプを起動するために前記ポンプに結合された取り外し可能なパワーユニットであって、ユーザによって取り外されるように動作可能な、取り外し可能なパワーユニット、および
リサイクルセンターへの配送中に、前記パワーユニットを収容して固定するための備え付けの配送用容器
を含むステップと；
前記減圧治療システムを使用して前記患者から流体を除去するステップと；
使用後に前記第１のキャニスターから前記パワーユニットを取り外すステップと；
前記備え付けの配送用容器に前記パワーユニットを入れるステップと；
前記備え付けの配送用容器を再調整センターへ配送するステップと
を含むことを特徴とする、方法。
【請求項４】
請求項３に記載の方法において、
前記パワーユニットを再調整するステップと；
前記パワーユニットを第２のキャニスターハウジングに取り外し可能に結合するステップと
をさらに含むことを特徴とする、方法。
【請求項５】
請求項３または４に記載の方法において、前記備え付けの配送用容器が、前記第１のキャニスターが前記備え付けの配送用容器に挿入されないようなサイズで構成されていることを特徴とする、方法。
【請求項６】
減圧治療を受けている複数の患者に使用するための流体収集システムにおいて、
液溜めを備えて形成された第１のキャニスター本体と；
前記患者から流体を前記液溜めに供給するために、前記液溜めに流体的に結合された導管と；
前記第１のキャニスター本体に取り付けられ、かつ前記液溜め内に減圧を発生させるように動作可能なポンプと；
前記ポンプを制御するために前記ポンプに結合された制御ユニットと；
前記ポンプを起動させるために前記ポンプに結合された取り外し可能なパワーユニットであって、ユーザによって取り外されるように動作可能な、取り外し可能なパワーユニットと；
リサイクルセンターへの配送中に、前記パワーユニットを収容して固定するための備え付けの配送用容器
を含むことを特徴とする、システム。
【請求項７】
減圧治療を受けている複数の患者に使用するための流体収集システムにおいて、
液溜めを備えて形成された第１のキャニスター本体と；
前記患者から流体を前記液溜めに供給するために、前記液溜めに流体的に結合された導管と；
前記第１のキャニスター本体に結合され、かつ前記液溜め内に減圧を発生させるように動作可能な、取り外し可能なポンプであって、ユーザによって取り外されるように動作可能な、取り外し可能なポンプと；
前記ポンプを起動し、かつ制御するために、前記ポンプに結合された取り外し可能なパワー・制御ユニットであって、ユーザによって取り外されるように動作可能な、取り外し可能なパワー・制御ユニットと；
リサイクルセンターへの配送中に、前記ポンプと前記パワー・制御ユニットとを収容して固定するための備え付けの配送用容器と、
を含むことを特徴とする、システム。
【請求項８】
減圧治療を受けている複数の患者に使用するための流体収集システムにおいて、
液溜めを備えて形成されたキャニスター部と；
前記患者から流体を前記液溜めに供給するために、前記液溜めに流体的に結合された導管と；
接続部材と；
前記接続部材によって前記キャニスター部に取り外し可能に結合されたポンプ制御部であって、マイクロポンプ、前記ポンプを制御するための制御エレクトロニクス、およびパワーユニットを含むポンプ制御部と；
を含み、
前記ポンプが、前記液溜めに流体的に結合されており、かつ前記液溜め内に減圧を発生させるように動作可能であり；
前記接続部材が、前記ポンプ制御部および前記キャニスター部を相対的な位置に固定し、かつ所望の場合に前記ポンプ制御部と前記キャニスター部との分離を容易にするように動作可能であることを特徴とする、システム。
【請求項９】
請求項８に記載の流体収集システムにおいて、前記接続部材が、押込んでねじ切りするペグ部材であることを特徴とする、システム。
【請求項１０】
請求項８に記載の流体収集システムにおいて、前記ポンプ制御部が弁をさらに含み、および前記接続部材が、押込んでねじ切りするペグ部材であることを特徴とする、システム。
【請求項１１】
請求項８に記載の流体収集システムにおいて、前記ポンプ制御部と前記キャニスター部との間に取り外し可能なスイベル接続部をさらに含み、および前記接続部材が、押込んでねじ切りするペグ部材であることを特徴とする、システム。
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
気道疾患を治療するためのデバイスにおいて、
気道インターフェース組織に埋め込まれるように形成された第１及び第２の細長いレッグを持つＶ字形状インプラント本体を含み、前記第１及び第２の細長いレッグは、前記組織に引張力を加えるように形成されている、デバイス。
【請求項２】
請求項１に記載のデバイスにおいて、
前記Ｖ字形状の前記頂点には、内部での組織プラグの成長を受け入れるための少なくとも一つの開口部が形成されている、デバイス。
【請求項３】
請求項１に記載のデバイスにおいて、
前記Ｖ字形状の前記頂点には、組織の付着を許容する特徴が設けられている、デバイス。
【請求項４】
請求項１に記載のデバイスにおいて、
各レッグの自由端には、内部での組織プラグの成長を受け入れるための少なくとも一つの開口部が形成されている、デバイス。
【請求項５】
請求項１に記載のデバイスにおいて、
各レッグの自由端には、組織の付着を許容する特徴が設けられている、デバイス。
【請求項６】
請求項１に記載のデバイスにおいて、
前記細長いレッグは、弾性材料又はばね材料を含む、デバイス。
【請求項７】
気道疾患を治療するためのデバイスにおいて、
軸線に沿って延びる直線状形状を各々有する第１及び第２のインプラント本体と、前記第１及び第２のインプラントの少なくとも一方の一端に配置された連結特徴とを含み、前記連結特徴は、一方のインプラント本体の一端を他方のインプラント本体の一端にその場で連結するように形成されているデバイス。
【請求項８】
請求項７に記載のデバイスにおいて、
前記連結特徴は、フック及びループ、接着剤、コネクタ、クランプ、ラチェット、キー止め嵌着、縫合糸、及び交差部からなる群から選択された一つ又はそれ以上のエレメントを含む、デバイス。
【請求項９】
請求項７に記載のデバイスにおいて、
各インプラント本体は、弾性材料又はばね材料で形成された細長い部分を有する、デバイス。
【請求項１０】
請求項７に記載のデバイスにおいて、
各インプラント本体の少なくとも一端には、内部での組織プラグの成長を受け入れるための開口部が形成されている、デバイス。
【請求項１１】
請求項７に記載のデバイスにおいて、
前記第１インプラント本体の両端には、内部での組織プラグの成長を受け入れるための開口部が形成されている、デバイス。
【請求項１２】
請求項７に記載のデバイスにおいて、
前記第１インプラントの一方の端部に、内部での組織プラグの成長を受け入れるための開口部が形成されている、デバイス。
【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
着用可能な治療装置であって、
各々が体外除細動器に電気的に結合されるように構成された第１の治療電極および第２の治療電極と、
衣服とを含み、前記衣服は、前記第１の治療電極および前記第２の治療電極を収容するように構成され、かつ、導電性流体を保管するように構成された交換可能な容器を、前記第１の治療電極および前記第２の治療電極のうち少なくとも１つの近傍の場所で、収容するように構成される、着用可能な治療装置。
【請求項２】
前記衣服は、患者の胸部の上に着用されるように構成され、かつ、体外除細動器を含むように構成される、請求項１に記載の装置。
【請求項３】
前記容器を前記衣服と電気的に結合するように構成された誘導コイルをさらに含む、請求項１に記載の装置。
【請求項４】
前記衣服は、ベルトを含み、前記誘導コイルの第１の巻線は前記ベルトに配置され、前記誘導コイルの第２の巻線は前記容器に配置される、請求項５に記載の装置。
【請求項５】
前記第１の治療電極は前部治療電極であり、前記第２の治療電極は第１の後部治療電極であり、前記装置は第２の後部治療電極をさらに含み、
前記容器は、前記第１の後部治療電極の近傍に配置された第１の投与量の導電性流体を有する第１の容器と、前記第２の後部治療電極の近傍に配置された第２の投与量の導電性流体を有する第２の容器と、前記前部治療電極の近傍に配置された第３の投与量の導電性流体を有する第３の容器とを含み、
前記衣服は、前記容器、前記第２の容器、および前記第３の容器を含むように構成される、請求項１に記載の装置。
【請求項６】
前記第１の投与量を前記第１の容器から前記第１の後部治療電極に放出するように、前記第２の投与量を前記第２の容器から前記第２の後部治療電極に放出するように、かつ前記第３の投与量を前記第３の容器から前記前部治療電極に放出するように構成された容器制御部をさらに含み、
前記第１の容器、前記第２の容器、および前記第３の容器は各々、前記衣服に配置され、前記容器制御部と電気的に結合され、
前記容器制御部は、前記第１の容器、前記第２の容器、および前記第３の容器のうち１つだけに含まれる、請求項５に記載の装置。
【請求項７】
前記第１の容器は、前記第１の投与量を前記容器から前記第１の後部治療電極に放出するように構成された第１の容器制御部を含み、
前記第２の容器は、前記第２の投与量を前記第２の容器から前記第２の後部治療電極に放出するように構成された第２の容器制御部を含み、
前記第３の容器は、前記第３の投与量を前記第３の容器から前記前部治療電極に放出するように構成された第３の容器制御部を含む、請求項５に記載の装置。
【請求項８】
前記第１の治療電極および前記第２の治療電極のうち少なくとも１つは、前記衣服に縫込まれた導電性の糸を含む、請求項１に記載の装置。
【請求項９】
前記第１の治療電極のうち少なくとも１つは前記衣服の第１のポケットに配置され、前記第２の治療電極は前記衣服の第２のポケットに配置され、前記第１のポケットおよび前記第２のポケットのうち少なくとも１つは前記衣服に縫込まれた導電性の糸を含む、請求項１に記載の装置。
【請求項１０】
前記衣服は検知電極を含み、前記検知電極は前記衣服に縫込まれた導電性の糸を含む、請求項１に記載の装置。
【請求項１１】
前記容器は、バッテリと、複数回分の投与量の導電性流体と、圧力センサと、容器制御部とを含む、請求項１に記載の装置。
【請求項１２】
モニタをさらに含み、前記モニタは、前記容器が前記衣服にない状態と、前記容器が前記衣服に不適切に挿入された状態のうち少なくとも１つを示すように構成される、請求項１に記載の装置。
【請求項１３】
前記衣服に配置された磁石をさらに含み、前記衣服は前記磁石の近傍に導電性パッドを含み、前記導電性パッドは電流源と電気的に結合され、前記容器はコンタクト要素を含み、前記磁石の磁力は前記導電性パッドを前記コンタクト要素と接続するように構成される、請求項１に記載の装置。
【請求項１４】
前記第１の治療電極と、前記第２の治療電極とは、前記衣服内に永久的に配置される、請求項１に記載の装置。
【請求項１５】
前記交換可能な容器は、前記第１の治療電極および前記第２の治療電極から分離した、自立含有ユニットである、請求項１に記載の装置。
【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
身体のある場所に補綴具を送達する送達システムであって、
ねじ山付き外面と、第１の長手方向スロットを有する中空管状部材と、近位端および遠位端とを有するスライドシャフトと、
スライドシャフトに回転可能に設置されたハブアセンブリであって、ハブアセンブリをスライドシャフトのねじ山付き外面と選択的に係合および係合解除するスライダサブアセンブリを有するハブアセンブリと、
ハブアセンブリの近位端と回転可能に結合されたスライドグリップであって、第１の長手方向スロットを通って延びスライドシャフトに対してスライドグリップの回転運動を阻止する第１のタブを有し、前記ハブアセンブリの軸の動きに対応してスライドシャフトに沿って近位方向および遠位方向に摺動するように構成されたスライドグリップと、を備えている、
ことを特徴とする補綴具を送達する送達システム。
【請求項２】
前記ハブアセンブリが、ハブアセンブリの近位端の内部で周切欠部を画定する周方向フランジを含み、前記スライドグリップが、周切欠部と係合してスライドグリップをハブアセンブリに結合するように構成された周方向フランジを備えている、
請求項１に記載の送達システム。
【請求項３】
前記スライドシャフトが、第１の長手方向スロットからスライドシャフトの反対側に位置決めされた第２の長手方向スロットを有し、前記スライドグリップが、第２の長手方向スロットを通って延びる第２のタブを備えている、
請求項１に記載の送達システム。
【請求項４】
前記ハブアセンブリが、スライドシャフト内にインナボディを有するスライドと、前記スライドの外側のアウタボディと、第１のスロットを通って延びてインナボディをアウタボディに結合するカプラとを含む、
請求項１に記載の送達システム。
【請求項５】
シースをさらに備え、前記シースの近位端が、スライドシャフトの内部のハブアセンブリに結合されている、
請求項１に記載の送達システム。
【請求項６】
前記スライダサブアセンブリが、突出歯を含んだねじ歯を含み、前記ねじ歯が枢動されてハブアセンブリをねじ山付き外面と係合および係合解除する、
請求項５に記載の送達システム。
【請求項７】
前記突出歯が、ハブアセンブリがねじ山付き外面と係合するときにスライドシャフトのねじ山付き外面とねじ係合する、
請求項６に記載の送達システム。
【請求項８】
前記ハブアセンブリがねじ山付き外面から係合解除されるときに、突出歯がスライドシャフトのねじ山付き外面から離される、
請求項６に記載の送達システム。
【請求項９】
前記スライダサブアセンブリが、ねじ歯枢動支持体を含む内部スライダを含み、前記ねじ歯が、ねじ歯枢動支持体上に枢動可能に設けられた、
請求項６に記載の送達システム。
【請求項１０】
前記ねじ歯枢動支持体が、ねじ歯の枢動開口部に収まる突出した枢動ピンを含む、
請求項６に記載の送達システム。
【請求項１１】
前記内部スライダが、遠位ねじ歯枢動開口部および近位ねじ歯枢動開口部をさらに含み、ねじ歯枢動支持体が、遠位ねじ歯枢動開口部と近位ねじ歯枢動開口部と間に存在し、それらを分離する、
請求項６に記載の送達システム。
【手続補正書】
【提出日】平成26年5月16日(2014.5.16)
【手続補正１】
【補正対象書類名】特許請求の範囲
【補正対象項目名】全文
【補正方法】変更
【補正の内容】
【特許請求の範囲】
【請求項１】
気道疾患を治療するためのインプラントにおいて、
気道インターフェース組織に埋め込まれるように形成された、第１及び第２の端部分及び中間部分を持つインプラント本体を含み、前記インプラント本体は、前記中間部分がターゲット組織を包囲するように前記端部分を互いに連結するように形成された連結器を含む、インプラント。
【請求項２】
請求項１に記載のインプラントにおいて、
前記連結器は、クリップ、スナップ嵌め特徴、ピン、ラチェット、縫合糸、杭、クランプ、溶接部、融着可能材料、及び接着剤からなる群から選択された一つ又はそれ以上のエレメントを含む、インプラント。
【請求項３】
請求項１に記載のインプラントにおいて、更に、
前記インプラント本体の包囲部分に直線的に連結された直線状インプラントを含む、インプラント。
【請求項４】
請求項１に記載のインプラントにおいて、
前記インプラント本体の包囲部分は、患者の舌で水平配置又は垂直配置のうちの少なくとも一方をとるように形成されている、インプラント。
【請求項５】
請求項１に記載のインプラントにおいて、
前記インプラント本体の包囲部分は、患者のオトガイ舌骨筋を包囲するように形成されている、インプラント。
【手続補正書】
【提出日】平成26年5月23日(2014.5.23)
【手続補正１】
【補正対象書類名】特許請求の範囲
【補正対象項目名】全文
【補正方法】変更
【補正の内容】
【特許請求の範囲】
【請求項１】
関節の第１骨用の人工関節であって、
前記関節の第２骨とつなぐように構成されたヘッド部であって、該ヘッド部は、前記第１骨の骨切り術後に本来の関節面を再現する関節面を有し、
該ヘッド部は、背リップと掌リップを有し、該掌リップは該背リップから突出し、該掌リップの最近位点にも接する背リップの最近位点に接する線は、人工関節の縦軸に対して２７０度以上の角度で傾斜するヘッド部と、
前記第１骨の髄腔への挿入のために構成されたステム部と
を有する人工関節。
【請求項２】
請求項１に記載の人工関節において、前記ステム部が、近位円錐部と弾丸状遠位部とを有する人工関節。
【請求項３】
請求項２に記載の人工関節において、前記ステム部が、該ステム部が髄管内で回転するのを防ぐように構成された竜骨をさらに有する人工関節。
【請求項４】
請求項１に記載の人工関節において、前記関節面が、前記背・掌面に環状に凹状で、横・内面に環状に凸状の鞍型形状関節面を有する人工関節。
【請求項５】
請求項４に記載の人工関節において、前記ヘッド部が、概ね卵形の、前記ヘッド部を囲む連続した曲線の周面を有しており、曲線の少ない該卵形部の棒部は、背側の方向を向いている人工関節。
【請求項６】
請求項１に記載の人工関節において、前記ヘッド部が、撓側手根屈筋（Ｆｌｅｘｏｒ−Ｃａｒｐｉ  Ｒａｄｉａｌｉｓ：ＦＣＲ）腱を通すように構成された横溝を有する人工関節。
【請求項７】
請求項１に記載の人工関節において、前記ヘッド部が、該ヘッド部を背側から掌側の方向に横切る少なくとも一つの縫合穴を有する人工関節。
【請求項８】
請求項７に記載の人工関節において、前記少なくとも一つの縫合穴が、前記ヘッド部の前記横溝内に配置される人工関節。
【請求項９】
種々の解剖学的構造を収容するための種々のサイズの人工関節のセットであって、人工関節の該セットの各々の人工関節は、請求項１に従って構成される人工関節のセット。
【請求項１０】
手術用ガイドであって、
傾斜面の片方の一端部で終わる本体部であって、該本体部は、該本体部を通って延在する垂直スロットをさらに有し、該垂直スロットは、前記傾斜面を形成する前記一端部から第１所定距離に位置する本体部と、
前記傾斜面を形成する前記一端部から第２所定距離で前記本体部から延在し、２つの関節骨の間に配置されるように構成された仕切り片と
を備える手術用ガイド。
【請求項１１】
請求項１０に記載の手術用ガイドにおいて、前記第１所定距離および前記傾斜面の角度が、前記関節の骨から除去する楔形を画定する手術用ガイド。
【請求項１２】
請求項１０に記載の手術用ガイドにおいて、前記第２所定距離が前記第１所定距離よりも長い手術用ガイド。
【請求項１３】
請求項１０に記載の手術用ガイドにおいて、前記本体部は、前記スロットおよび前記仕切り部の間に前記本体部を通る穴をさらに有し、該穴はＫワイヤを貫通させるように構成されている手術用ガイド。
【請求項１４】
請求項１２に記載の手術用ガイドにおいて、前記本体部はハンドルに着脱可能に係合するようにさらに構成された手術用ガイド。
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
後方視野内視鏡イメージングカテーテルにおいて、
近位端部、遠位端部、外表面および長手方向軸を有している長手方向に延在する管状部材、
該管状部材の遠位端部内に置かれた光学要素、
該管状部材の遠位端部内に置かれ且つ該光学要素と連絡しているイメージング・センサ、および
該イメージング・センサに対して近位に置かれた照明源であって、該長手方向軸に対して実質的に垂直な方向で該管状部材の該外表面周りを照らす、該照明源、
を備え、
該光学要素および該イメージング・センサは、器官の該管状部材のまたは身体管腔を取り巻く内部壁の該長手方向軸で中心に置かれた後方円錐視界を含むイメージを捕捉するように構成されている、
上記後方視野内視鏡イメージングカテーテル。
【請求項２】
該光学要素は、反射要素を備えている、請求項１に記載の後方視野内視鏡イメージングカテーテル。
【請求項３】
該光学要素は、該イメージング・センサに対して遠位にある、請求項１に記載の後方視野内視鏡イメージングカテーテル。
【請求項４】
該照明源は、該光学要素に対して近位に置かれている、請求項１に記載の後方視野内視鏡イメージングカテーテル。
【請求項５】
該照明源は、該後方視野内視鏡イメージングカテーテルの該管状部材の該外表面の周りで、該イメージング・センサの側方および後方の視界を照らす、請求項４に記載の後方視野内視鏡イメージングカテーテル。
【請求項６】
該照明源は、該後方視野内視鏡イメージングカテーテルの該管状部材の該外表面の周りで、該イメージング・センサの視界を照らす、請求項４に記載の後方視野内視鏡イメージングカテーテル。
【請求項７】
該照明源は、単一の光源または複数の光源を備えている、請求項１に記載の後方視野内視鏡イメージングカテーテル。
【請求項８】
該照明源は１以上の発光ダイオード（ＬＥＤ）を備えている、請求項７に記載の後方視野内視鏡イメージングカテーテル。
【請求項９】
内視鏡手順を実行することができる、請求項１に記載の後方視野内視鏡イメージングカテーテル。
【請求項１０】
請求項１に記載の後方視野内視鏡イメージングカテーテルと、該後方視野内視鏡イメージングカテーテルを被覆するような大きさと形状に作られたシースを備えるシステム。
【請求項１１】
患者の器官または身体管腔を検査するための方法であって、
遠位及び近位開口部を備える作業チャネルを有する標準内視鏡を該患者の器官または身体管腔内へ挿入すること、
請求項１に記載の後方視野内視鏡イメージングカテーテルを作業チャネル内の該近位開口部内に挿入すること、および
該後方視野内視鏡イメージングカテーテルの該遠位先端部を該作業チャネルの該遠位開口部を通して遠位に進めること、
を含み、
該器官の内部の前方及び後方のイメージまたは該身体管腔を取り巻く内部壁の切片を視ることができる、上記方法。
【請求項１２】
該前方及び後方のイメージは、実質的に同時に視られる、請求項１１に記載の方法。
【請求項１３】
患者の器官または身体管腔を検査するための方法であって、
請求項１に記載の後方視野内視鏡イメージングカテーテルを該患者の器官または身体管腔内へ挿入すること、および
該後方視野内視鏡イメージングカテーテルの遠位先端部を該器官または該身体管腔内に前進させること、
を含み、
該器官の内部の後方イメージまたは該身体管腔を取り巻く内壁の切片を視ることができる、上記方法。
【手続補正書】
【提出日】平成26年4月16日(2014.4.16)
【手続補正１】
【補正対象書類名】特許請求の範囲
【補正対象項目名】全文
【補正方法】変更
【補正の内容】
【特許請求の範囲】
【請求項１】
標的部位を治療するためのデバイスであって、
シャフトを含むリードを備え、
シャフトは、その遠位端に沿って配置された少なくとも１つの電極と、少なくとも１つの電極の近位側でシャフトに沿って配置された構造的なねじれポイントとを有し、構造的なねじれポイントが硬膜上腔内に配置され、少なくとも１つの電極が標的部位付近に配置され、
シャフトの一部が硬膜上腔内に挿入されたとき、構造的なねじれポイントは、少なくとも１つの電極を実質的に標的部位付近に維持しつつ、スラックアンカの形成を支援することを特徴とするデバイス。
【請求項２】
構造的なねじれポイントは、材料の硬さが変化する部分を有することを特徴とする請求項１に記載のデバイス。
【請求項３】
構造的なねじれポイントは、より硬い領域より遠位側に配置された柔らかい領域を有することを特徴とする請求項２に記載のデバイス。
【請求項４】
シャフトは、少なくとも１つのチューブからなり、
より硬い領域は、少なくとも１つのチューブの皮膜により形成されることを特徴とする請求項３に記載のデバイス。
【請求項５】
リードの遠位端は、後根神経節付近に少なくとも１つの電極を配置するように構成されていることを特徴とする請求項１に記載のデバイス。
【請求項６】
構造的なねじれポイントは、後根神経節に付随する後根に隣接してスラックアンカを形成するように配設されることを特徴とする請求項１に記載のデバイス。
【請求項７】
スラックアンカは、曲がりくねった形状を有することを特徴とする請求項１に記載のデバイス。
【請求項８】
スラックアンカは、ループ形状を有することを特徴とする請求項１に記載のデバイス。
【手続補正書】
【提出日】平成26年5月12日(2014.5.12)
【手続補正１】
【補正対象書類名】明細書
【補正対象項目名】００８４
【補正方法】変更
【補正の内容】
【００８４】
一部の実施形態では、オーバーモールドされた材料は、亜鉛またはアルミニウムなどの
金属である。これは、アームが何度も洗浄される場合、またはしっかりと洗浄される必要がある場合、または一回使用または限定回数の使用のための喉頭鏡ブレードとして形成される場合に、特に有用である。